(57)【要約】【課題】  大幅なコストダウンが図られたカメラを提供する。【解決手段】  撮影レンズ１１が覗く穴３１ｂおよびシャッタボタン１４，電源スイッチ１５が配備された前カバー３１と、光学式ファインダ接眼窓１６およびメニュースイッチ１７，実行／画面切換スイッチ１８が配備された後カバー３２で、カメラ１００としての撮像素子３３ｂを含む電子部品が実装された基板３３を挟んでネジ３４で固定し、外装用フイルム２０で囲み、その外装用フイルム２０の、操作スイッチ１７，１８に対応する位置に、マークを付けた。【選択図】        図２
2006350388.tif 000002
【特許請求の範囲】
【請求項１】
撮影レンズにより撮像素子上に被写体像を形成して画像データを得、この画像データを記録媒体上に記録するカメラにおいて、
前記カメラの撮影レンズ窓を持つ前カバーと、
後カバーと、
前記撮像素子が搭載され、前記前カバーと前記後カバーとに挟まれた基板と、
前記前カバーと前記基板と前記後カバーとを一体的に締結する締結部材と、
前記前カバーおよび前記後カバーを囲う外装用フイルムと、
前記前カバーまたは前記後カバーに設けられた窓部を通じてカメラを操作するための操作スイッチとを備え、
前記基板が、前記前カバーおよび前記後カバーに対する回転角が調整された状態に、前記締結部材により締結されており、
前記外装用フイルムが、前記撮影レンズ前面は光透過性に、前記前カバーと前記後カバーとの接合部を覆う部分および前記締結部材による締結部を覆う部分は遮光性に形成されたものであり、さらに、
前記外装用フイルムの前記操作スイッチに対応する位置にマークがされていることを特徴とするカメラ。
【請求項２】
撮影レンズにより撮像素子上に被写体像を形成して画像データを得、この画像データを記録媒体上に記録するカメラにおいて、
前記カメラの撮影レンズ窓を持つ前カバーと、
後カバーと、
前記撮像素子が搭載され、前記前カバーと前記後カバーとに挟まれた基板と、
前記前カバーと前記基板と前記後カバーとを一体的に締結する締結部材と、
前記前カバーおよび前記後カバーを囲う外装用フイルムと、
前記前カバーまたは前記後カバーに設けられた窓部を通じてカメラを操作するための操作スイッチとを備え、
前記基板が、前記前カバーおよび前記後カバーに対する回転角が調整された状態に、前記締結部材により締結されており、
前記外装用フイルムが、前記撮影レンズ前面は光透過性に、前記前カバーと前記後カバーとの接合部を覆う部分および前記締結部材による締結部を覆う部分は遮光性に形成されたものであり、さらに、
前記外装用フイルムの、前記操作スイッチに対応する位置にマークがされていると共に、
前記外装用フイルムの、前記操作スイッチの近傍に、前記操作スイッチの機能が表示されていることを特徴とするカメラ。
【請求項３】
前記外装用フイルムが、前記操作スイッチを覆う部分に膨らみを有するものであることを特徴とする請求項１又は２記載のカメラ。
【発明の詳細な説明】
【技術分野】
【０００１】
本発明は、撮像素子上に被写体像を形成して画像データを得るカメラに関する。
【背景技術】
【０００２】
従来より、撮影レンズによりＣＣＤセンサ等の撮像素子上に被写体像を形成して画像データを得、この画像データに圧縮処理を施してもしくはそのままスマートメディア等の記録媒体上に記録するカメラが知られている。このようなカメラにおいて、安価なカメラを提供するために様々な提案が行なわれている。例えば、特許文献１には、カメラを構成するメモリカードコネクタおよびＬＣＤユニットをシールド構造化することにより、ノイズの影響を受けやすいアナログ回路基板をシールドするための部材を削除する技術が提案されている。また、特許文献２には、カメラ本体のグリップ部に単一の電池収納室を設けることにより、複数本の電池それぞれを分割して収納するための壁部を削除する技術が提案されている。
【特許文献１】特開平１１−２２５２８２号公報
【特許文献２】特開平１１−８７８６号公報
【発明の開示】
【発明が解決しようとする課題】
【０００３】
しかし、上述した特許文献１や特許文献２に提案された技術は、カメラを構成する部材の一部を工夫してコストを削減するものであるため、カメラの、大幅なコストダウンに欠けるという問題がある。
【０００４】
本発明は、上記事情に鑑み、大幅なコストダウンが図られたカメラを提供することを目的とする。
【課題を解決するための手段】
【０００５】
上記目的を達成する本発明のカメラのうちの第１のカメラは、撮影レンズにより撮像素子上に被写体像を形成して画像データを得、この画像データを記録媒体上に記録するカメラにおいて、
このカメラの撮影レンズ窓を持つ前カバーと、
後カバーと、
上記撮像素子が搭載され、前カバーと後カバーとに挟まれた基板と、
前カバーと基板と後カバーとを一体的に締結する締結部材と、
前カバーおよび後カバーを囲う外装用フイルムと、
前カバーまたは後カバーに設けられた窓部を通じてカメラを操作するための操作スイッチとを備え、
基板が、前カバーおよび後カバーに対する回転角が調整された状態に、前記締結部材により締結されており、
上記外装用フイルムが、撮影レンズ前面は光透過性に、前カバーと後カバーとの接合部を覆う部分および締結部材による締結部を覆う部分は遮光性に形成されたものであり、さらに、
上記外装用フイルムの操作スイッチに対応する位置にマークがされていることを特徴とする。
【０００６】
また、上記目的を達成する本発明のカメラのうちの第２のカメラは、撮影レンズにより撮像素子上に被写体像を形成して画像データを得、この画像データを記録媒体上に記録するカメラにおいて、
このカメラの撮影レンズ窓を持つ前カバーと、
後カバーと、
上記撮像素子が搭載され、前カバーと後カバーとに挟まれた基板と、
前カバーと基板と後カバーとを一体的に締結する締結部材と、
前カバーおよび後カバーを囲う外装用フイルムと、
前カバーまたは後カバーに設けられた窓部を通じてカメラを操作するための操作スイッチとを備え、
上記基板が、前カバーおよび後カバーに対する回転角が調整された状態に、前記締結部材により締結されており、
上記外装用フイルムが、撮影レンズ前面は光透過性に、前カバーと後カバーとの接合部を覆う部分および締結部材による締結部を覆う部分は遮光性に形成されたものであり、さらに、
上記外装用フイルムの、操作スイッチに対応する位置にマークがされていると共に、
上記外装用フイルムの、操作スイッチの近傍に、その操作スイッチの機能が表示されていることを特徴とする。
【０００７】
本発明の第１および第２のカメラによれば、従来の、カメラを構成する部材の一部を工夫してコストを削減する技術と比べ、カメラの構成および組立を大幅に簡素化することができる。従って、大幅なコストダウンを図ることができる。
【０００８】
また、本発明のカメラによれば、撮像素子が搭載された基板を簡単に取り付けることができるため、さらなるコストダウンを図ることができる。
【０００９】
さらに、本発明によれば、前カバーおよびその後カバーを外装用フイルムで囲うにあたり、カメラの機能を満足したままネジや接合部等が外部から見えることが防止されて品位が高まる。
【００１０】
さらに、本発明の第２のカメラによれば、後述する図２に示されているように、操作スイッチの近傍にその操作スイッチの機能が表示されているために、特にそのカメラの取扱いの初心者に対する操作性が向上する。
【００１１】
また、本発明の第１および第２のカメラにおいて、上記外装用フイルムは、操作スイッチに対応する位置に膨らみを有するものであることが好ましい。
【００１２】
このようにすると、前カバーや後カバーから突出した操作スイッチを用いた場合であっても、その操作スイッチに対して外装用フイルムによるテンションがかかることが防止される。
【発明の効果】
【００１３】
以上説明したように、本発明によれば、大幅なコストダウンが図られたカメラを提供することができる。
【発明を実施するための最良の形態】
【００１４】
以下図面を参照して本発明の実施の形態を説明する。
図１は、本発明の一実施形態のカメラを前面斜め上から見た外観斜視図、図２は、図１のカメラを背面斜め上から見た外観斜視図である。
【００１５】
図１に示すように、このカメラ１００の前面中央部には、撮影レンズ１１が備えられている。また、このカメラ１００の前面上部には、光学式ファインダ対物窓１２および補助光発光部１３が備えられている。さらに、このカメラ１００の上面には、シャッタボタン１４およびスライド式の電源スイッチ１５が備えられている。
【００１６】
さらに、図２に示すように、このカメラ１００の背面には、光学式ファインダ接眼窓１６と、メニュースイッチ１７と、実行／画面切換スイッチ１８と、画像モニタ１９とが備えられている。
【００１７】
また、カメラ１００のボディは外装用フイルム２０で囲われている。この外装用フイルム２０は、このカメラ１００の作用上光がその外装用フイルム２０を通過する必要のある機能部分が光透過性に、その機能部分を除く部分が遮光性に形成されている。以下、この点について図３、図４を参照して詳細に説明する。
【００１８】
図３は、図１に示すカメラの、光学式ファインダ周辺の断面図である。
【００１９】
図３に示す外装用フイルム２０は、光透過性の部分である透過性素材２１と、その光透過性の部分が着色（もしくはプリント）処理されてなる遮光性の部分である遮光性素材２２とから構成されている。光学式ファインダ対物窓１２および光学式ファインダ接眼窓１６は、透過性素材２１で覆われている。また、光学式ファインダ対物窓１２と光学式ファインダ接眼窓１６の間には、ボディ３０に支持されたファインダ用レンズ５０が備えられている。ボディ３０は、遮光性素材２２で覆われている。
【００２０】
図４は、図１に示すカメラの、画像モニタ周辺の断面図である。
【００２１】
画像モニタ１９は、ボディ３０に載置されており、この画像モニタ１９は、透過性素材２１で覆われている。また、ボディ３０の、画像モニタ１９を除く部分は、遮光性素材２２で覆われている。
【００２２】
本実施形態のカメラ１００では、図３、図４に示すように、外装用フイルム２０の、光学式ファインダ対物窓１２，光学式ファインダ接眼窓１６および画像モニタ１９に対応する部分が光透過性である透過性素材２１で形成されるとともに、ボディ３０の、上記光学式ファインダ対物窓１２，光学式ファインダ接眼窓１６，画像モニタ１９を除く部分が遮光性である遮光性素材２２で形成されている。このため、カメラ１００の機能を満足したままネジや接合部等が外部から見えることが防止されて品位が高められている。
【００２３】
再び図２に戻って説明を続ける。図２に示すメニュースイッチ１７および実行／画面切換スイッチ１８には、カメラ１００のボディ３０から突出したスイッチが用いられている。これらメニュースイッチ１７，実行／画面切換スイッチ１８は、外装用フイルム２０で覆われている。以下、図５を参照して詳細に説明する。
【００２４】
図５は、図２に示すカメラの、メニュースイッチ周辺の断面図である。
【００２５】
メニュースイッチ１７は、図５（ａ）に示すように、ボディ３０から突出してそのボディ３０に載置されている。外装用フイルム２０は、図５（ｂ）に示すように、メニュースイッチ１７の上部に膨らみ部２３を有する。このようにすることにより、ボディ３０から突出したメニュースイッチ１７に対して外装用フイルム２０によるテンションがかかることが防止される。尚、実行／画面切換スイッチ１８も、ボディ３０から突出してそのボディ３０に載置されており、外装用フイルム２０は、その実行／画面切換スイッチ１８の上部にも膨らみ部（図示せず）を有する。このため、実行／画面切換スイッチ１８に対しても外装用フイルム２０によるテンションがかかることが防止される。また、外装用フイルム２０の、メニュースイッチ１７，実行／画面切換スイッチ１８に対応する位置にマークが印字されているため、操作に何らの支障もない。
【００２６】
尚、メニュースイッチ１７，実行／画面切換スイッチ１８として、カメラ１００のボディ３０から突出することが抑えられたプッシュスイッチを用いてもよい。その場合、外装用フイルム２０の、メニュースイッチ１７，実行／画面切換スイッチ１８に対応する部分が透過性素材２１であってもよい。
【００２７】
図２に示す画像モニタ１９の表面は、硬質のガラスもしくはアクリル等の透明素材で覆われている。また、外装用フイルム２０の、画像モニタ１９に対応する部分は、透過性素材２１で形成されている。このため、画像モニタ１９の表面は、硬質のガラスもしくはアクリル等の透明素材および外装用フイルム２０の双方で保護される。従って、画像モニタ１９の表面に傷が付きにくいという利点を有する。
【００２８】
図６は、図１に示すカメラの、外装用フイルムで囲われる前の分解斜視図である。
【００２９】
図６には、カメラ１００のボディ３０を構成する前カバー３１および後カバー３２と、それら前カバー３１および後カバー３２に挟まれた基板３３が示されている。
【００３０】
前カバー３１には、撮影レンズ１１が覗く穴３１ｂと、シャッタボタン１４と、電源スイッチ１５と、光学式ファインダ対物窓１２および補助光発光部１３が覗く穴（図示せず）とが備えられている。また、前カバー３１には４つのスタッド３１ａが立設されている。
【００３１】
一方、後カバー３２には、光学式ファインダ接眼窓１６と、メニュースイッチ１７と、実行／画面切換スイッチ１８と、画像モニタ１９とが備えられている。また、後カバー３２には４つの孔３２ａが設けられている。
【００３２】
また、基板３３には、カメラ１００としての、撮像素子３３ｂを含む電子部品が実装されている。さらに、基板３３には４つの孔３３ａが設けられている。
【００３３】
図７は、図６に示す前カバー，基板，後カバーの一部を拡大して示す図である。
【００３４】
前カバー３１に立設されたスタッド３１ａには円筒部３１ａ１が形成されている。このカメラ１００を組み立てるには、前カバー３１に立設されたスタッド３１ａの円筒部３１ａ１に基板３３の孔３３ａを挿入して基板３３を前カバー３１に載置する。次に、基板３３の上から後カバー３２をかぶせ、さらに後カバー３２の孔３２ａから基板３３の孔３３ａを介してネジ３４でスタッド３１ａの円筒部３１ａ１に固定する。さらに、外装用フイルム２０で、前カバー３１および後カバー３２を囲う。これにより、ネジ３４が露出したり前カバー３１と後カバー３２との接合部が外部から見えることが防止されて品位が高まることとなる。
【００３５】
図８は、図７に示す前カバー，基板，後カバーの拡大図とは異なる前カバー，基板，後カバーの拡大図である。
【００３６】
図８には、前カバー３１に立設されたスタッド３１ａに代えて、プラスティック状のスタッド４１ａが示されている。このスタッド４１ａは、後カバー３２の孔３２ａに嵌合される嵌合部４１ｂを有する。このようなスタッド４１ａを備えると、ネジ３４を用いることなく、前カバー３１と後カバー３２とで基板３３を挟むことができるため一層のコストダウンが図られる。
【００３７】
図９は、基板に搭載された撮像素子のズレを説明するための図である。
【００３８】
図９（ａ）に示す撮像素子３３ｂには、パッケージ３３ｂ１と、パッケージ３３ｂ１の中央部に位置する枠部３３ｂ２と、その枠部３３ｂ２内に配備された半導体チップ３３ｂ３とが備えられている。ここで、半導体チップ３３ｂ３は、枠部３３ｂ２内に配備されるにあたり、撮像素子３３ｂの基準線Ａに対して所定の回転角α（誤差）を有する。このような撮像素子３３ｂが基板３３に搭載される。ここで、基板３３に撮像素子３３ｂを搭載するにあたり、図９（ｂ）に示すように、基板３３の基準線Ｂに対しても所定の回転角β（誤差）を有する。そこで、基板３３を挟んで前カバー３１と後カバー３２をネジ３４で固定するにあたり、これらの誤差を相殺するように固定すると、精度のよいカメラ１００を提供することができる。
【００３９】
図１０は、図１に示すカメラの回路構成を示すブロック図である。
【００４０】
このカメラ１００には、前述した撮影レンズ１１および補助光発光部１３と、シャッタ・絞り部７１と、撮像素子３２ｂとが備えられている。撮影レンズ１１およびシャッタ・絞り部７１を経由して結像された撮影像は、撮像素子３２ｂ上で焦点を結びアナログの画像信号に変換される。ここで、シャッタ・絞り部７１を構成するシャッタ部は、撮像素子３２ｂからアナログ信号が読み出すにあたり、光によるスミアの発生を抑えるものであるが、撮像素子３２ｂの構成により必ずしも必要なものではない。また、絞り（絞り部）は、単一の絞りであってもよく切換自在な複数の絞りからなるものであってもよい。補助光発光部１３は、低照度時に補助光として用いられるものであるが、低照度以外の必要時にあるいは強制的にさせることもできる。
【００４１】
また、このカメラ１００には、アナログ信号処理部７２と、Ａ／Ｄ部７３と、デジタル信号処理部７４と、テンポラリメモリ７５と、圧縮伸長部７６と、内蔵メモリ（またはメモリカード）７７と、画像モニタ１９と、駆動回路７８とが備えられている。撮像素子３２ｂは、駆動回路７８内のタイミング発生回路（図示せず）によって発生したタイミングで駆動され、アナログの画像信号を出力する。また、駆動回路７８には、レンズ１１，シャッタ・絞り部７１，補助光発光部１３等を駆動する駆動回路も含まれている。撮像素子３２ｂから出力されたアナログの画像信号は、アナログ信号処理部７２でアナログ信号処理され、Ａ／Ｄ部７３でＡ／Ｄ変換されてデジタル信号処理部７４でデジタル信号処理される。デジタル信号処理された信号を表わすデータはテンポラリメモリ７５に一時的に格納される。テンポラリメモリ７５に格納されたデータは、圧縮伸長部７６で圧縮されて内蔵メモリ（またはメモリカード）７７に記録される。尚、撮影モードによっては、圧縮の過程を省いて内蔵メモリ７７に直接記録してもよい。テンポラリメモリ７５に格納されたデータは画像モニタ１９に読み出され、これにより画像モニタ１９に被写体の画像が表示される。
【００４２】
また、カメラ１００には、このカメラ１００全体の制御を行なうＣＰＵ７９と、前述したメニュースイッチ１７および実行／画面切換スイッチ１８からなる操作スイッチ群８０と、シャッタボタン１４とが備えられており、操作スイッチ群８０を操作して所望の撮影状態に設定してシャッタボタン１４を押下することにより写真撮影が行なわれる。
【００４３】
本実施形態のカメラ１００は、前カバー３１に撮影レンズ１１が覗く穴や光学式ファインダ対物窓１２およびシャッタボタン１４や電源スイッチ１５を備えるとともに、後カバー３２に光学ファインダ接眼窓１６やメニュースイッチ１７および画像モニタ１９を備え、それら前カバー３１および後カバー３２でカメラ１００としての撮像素子３３ｂを含む電子部品が実装された基板３３を挟んで外装用フイルム２０で囲う構成であるため、従来の、カメラを構成する部材の一部を工夫してコストを削減する技術と比較し、カメラ１００の構成および組立が大幅に簡素化される。従って、大幅なコストダウンが図られる。
【図面の簡単な説明】
【００４４】
【図１】本発明の一実施形態のカメラを前面斜め上から見た外観斜視図である。
【図２】図１のカメラを背面斜め上から見た外観斜視図である。
【図３】図１に示すカメラの、光学式ファインダ周辺の断面図である。
【図４】図１に示すカメラの、画像モニタ周辺の断面図である。
【図５】図２に示すカメラの、メニュースイッチ周辺の断面図である。
【図６】図１に示すカメラの、外装用フイルムで囲われる前の分解斜視図である。
【図７】図６に示す前カバー，基板，後カバーの一部を拡大して示す図である。
【図８】図７に示す前カバー，基板，後カバーの拡大図とは異なる前カバー，基板，後カバーの拡大図である。
【図９】基板に搭載された撮像素子のズレを説明するための図である。
【図１０】図１に示すカメラの回路構成を示すブロック図である。
【符号の説明】
【００４５】
１１    撮影レンズ
１２    光学式ファインダ対物窓
１３    補助光発光部
１４    シャッタボタン
１５    電源スイッチ
１６    光学式ファインダ接眼窓
１７    メニュースイッチ
１８    実行／画面切換スイッチ
１９    画像モニタ
２０    外装用フイルム
２０ａ    外装用フイルムの部分
２１    透過性素材
２２    遮光性素材
２３    膨らみ部
３０    ボディ
３１    前カバー
３１ａ，４１ａ    スタッド
３１ａ１    円筒部
３１ｂ，３２ａ，３２ｂ，３３ａ    孔
３２    後カバー
３３    基板
３３ｂ    撮像素子
３３ｂ１    パッケージ
３３ｂ２    枠部
３３ｂ３    半導体チップ
３４    ネジ
４１ｂ    嵌合部
５０    ファインダ用レンズ
７１    シャッタ・絞り部
７２    アナログ信号処理部
７３    Ａ／Ｄ部
７４    デジタル信号処理部
７５    テンポラリメモリ
７６    圧縮伸長部
７７    内蔵メモリ
７８    駆動回路
７９    ＣＰＵ
８０    操作スイッチ群
１００    カメラ
【図１】
2006350388.tif 000003
【図２】
2006350388.tif 000004
【図３】
2006350388.tif 000005
【図４】
2006350388.tif 000006
【図５】
2006350388.tif 000007
【図６】
2006350388.tif 000008
【図７】
2006350388.tif 000009
【図８】
2006350388.tif 000010
【図９】
2006350388.tif 000011
【図１０】
2006350388.tif 000012